(57)【特許請求の範囲】
【請求項１】
平板状の収容物を収容する密閉型のケースであって、
天板部と、該天板部の周縁から下方に延びるように設けられた周壁部を有し、該天板部と該周壁部から構成される空間に前記収容物が納められる蓋部と、
前記収容物を保持する底部と、
を有しており、
前記底部の上面には、前記収容物の裏面を保持する収容物保持部が複数個設けられており、
前記複数個の収容物保持部で囲まれる領域に、粘着シートを介してパーティクル測定器が配置されていることを特徴とする、ケース。
【請求項２】
前記粘着シートと前記パーティクル測定器を合わせた厚みの大きさが、前記複数個の収容物保持部で保持される前記収容物の裏面と前記底部の上面との間の距離よりも小さいことを特徴とする、請求項１に記載のケース。
【請求項３】
前記収容物が、フォトマスク、マスクブランクス、インプリント用テンプレート、ガラス基板、ウェハのいずれかであることを特徴とする、請求項１または請求項２に記載のケース。
【請求項４】
前記粘着シートが、シリコーンを含むシートであることを特徴とする、請求項１乃至請求項３のいずれか１項に記載のケース。
【請求項５】
前記パーティクル測定器が、無線によって制御されることを特徴とする、請求項１乃至請求項４のいずれか１項に記載のケース。
【請求項６】
前記蓋部及び前記底部には、標準機械的インターフェースＳＭＩＦ（Ｓｔａｎｄａｒｄ  Ｍｅｃｈａｎｉｃａｌ  Ｉｎｔｅｒｆａｃｅ）機構が組み込まれていることを特徴とする、請求項１乃至請求項５のいずれか１項に記載のケース。
【請求項７】
平板状の収容物を収容する密閉型のケース内のパーティクル測定方法であって、
前記ケースは、
天板部と、該天板部の周縁から下方に延びるように設けられた周壁部を有し、該天板部と該周壁部から構成される空間に前記収容物が納められる蓋部と、
前記収容物を保持する底部と、
を有しており、
前記底部の上面には、前記収容物の裏面を保持する収容物保持部が複数個設けられており、
平面視上、前記複数個の収容物保持部で囲まれる領域に、粘着シートを介してパーティクル測定器を配置し、
その後、前記蓋部と前記底部を合わせて前記ケースを密閉し、前記パーティクル測定器により、前記密閉したケース内のパーティクルを測定することを特徴とする、パーティクル測定方法。
【請求項８】
前記密閉したケースを、４．９ｍ／ｓ2以上４９ｍ／ｓ2以下の加速度で振動させた状態で、前記密閉したケース内のパーティクルを測定することを特徴とする、請求項７に記載のパーティクル測定方法。
【請求項９】
前記パーティクル測定器を配置した後に前記収容物保持部に前記収容物を保持させ、その後、前記蓋部と前記底部を合わせて密閉し、前記パーティクル測定器により、前記密閉したケース内のパーティクルを測定することを特徴とする、請求項７または請求項８に記載のパーティクル測定方法。
【請求項１０】
前記粘着シートと前記パーティクル測定器を合わせた厚みの大きさが、前記複数個の収容物保持部で保持される前記収容物の裏面と前記底部の上面との間の距離よりも小さいことを特徴とする、請求項７乃至請求項９のいずれか１項に記載のパーティクル測定方法。
【請求項１１】
前記収容物が、フォトマスク、マスクブランクス、インプリント用テンプレート、ガラス基板、ウェハのいずれかであることを特徴とする、請求項７乃至請求項１０のいずれか１項に記載のパーティクル測定方法。
【請求項１２】
前記粘着シートが、シリコーンを含むシートであることを特徴とする、請求項７乃至請求項１１のいずれか１項に記載のパーティクル測定方法。
【請求項１３】
前記パーティクル測定器が、無線によって制御されることを特徴とする、請求項７乃至請求項１２のいずれか１項に記載のパーティクル測定方法。
【発明の詳細な説明】
【技術分野】
【０００１】
本発明は、平板状の収容物を収容する密閉型のケース、および、このケース内のパーティクル測定方法に関し、特に、フォトマスク、マスクブランクス、インプリント用テンプレート、ガラス基板、ウェハ等の精密部品を収容するケース及びパーティクル測定方法に関するものである。
【背景技術】
【０００２】
半導体デバイスや、半導体デバイスを製造する際に用いられるフォトマスク、マスクブランクス、インプリント用テンプレート、ガラス基板、ウェハ等の精密部品は、異物（パーティクル）の付着を防ぐために、一般的に、クリーンルーム内で扱われる。そして、クリーンルーム内の装置に搬送する際や保管する際には、これらの精密部品を、専用のケース内に収容することも行われている（例えば、特許文献１）。
【先行技術文献】
【特許文献】
【０００３】
【特許文献１】特開２００１−５３１３６号公報
【発明の概要】
【発明が解決しようとする課題】
【０００４】
上記のような専用のケースは、通常、使用前に、純水、温水、または薬液等により、洗浄される。しかしながら、ケース内に残留するパーティクルが、搬送中に収容物である精密部品に付着してしまうという問題があり、ケースを密閉した状態、さらにはケース内に収容物を収容して密閉した状態で、ケース内のパーティクルを測定することが望まれていた。
【０００５】
そこで、ケースに孔を開けて、この孔を通してケース内のパーティクルを、ケースの外に設置したパーティクル測定器で測定する方法が考えられる。しかしながら、このような方法では、バルブ等を設けてパーティクル測定時以外は孔を塞ぐ構成にしたとしても、このような構成を設けた為に、却ってパーティクルが発生し易くなるおそれがあり、採用し難い。また、ケースの洗浄も困難になるおそれもある。
【０００６】
なお、パーティクル測定用の試験ケースにのみ孔を設ける場合は、あくまで、試験ケースの測定結果が得られるだけであって、製品である精密部品を収容するケース、すなわち、実際に使用するケースのパーティクル管理としては不十分である。
【０００７】
また、小型のパーティクル測定器をケース内に備えてパーティクル測定する方法も考えられる。ただし、ケースの洗浄等に際しては、この小型のパーティクル測定器が容易にケースから着脱可能であることが必要である。
例えば、この小型のパーティクル測定器の着脱を、ねじ止めで行うような構成では、却ってパーティクルが発生し易くなるおそれがあり、採用し難い。
一方、この小型のパーティクル測定器の装着は、製品である精密部品を収容したケースを、実際に搬送させた場合と同様の振動を受ける状態で、ケースと分離せずに、確実にケースに備え付けられていることが望ましい。
【０００８】
本発明は、上記実情に鑑みてなされたものであり、ケースに複雑な構成を付加することなく、ケースを密閉した状態、さらにはケース内に収容物を収容して密閉した状態で、ケース内のパーティクルを測定することが可能な、ケース及びパーティクル測定方法を提供することを目的とする。
【課題を解決するための手段】
【０００９】
本発明の請求項１に係る発明は、平板状の収容物を収容する密閉型のケースであって、天板部と、該天板部の周縁から下方に延びるように設けられた周壁部を有し、該天板部と該周壁部から構成される空間に前記収容物が納められる蓋部と、前記収容物を保持する底部と、を有しており、前記底部の上面には、前記収容物の裏面を保持する収容物保持部が複数個設けられており、前記複数個の収容物保持部で囲まれる領域に、粘着シートを介してパーティクル測定器が配置されていることを特徴とする、ケースである。
【００１０】
また、本発明の請求項２に係る発明は、前記粘着シートと前記パーティクル測定器を合わせた厚みの大きさが、前記複数個の収容物保持部で保持される前記収容物の裏面と前記底部の上面との間の距離よりも小さいことを特徴とする、請求項１に記載のケースである。
【００１１】
また、本発明の請求項３に係る発明は、前記収容物が、フォトマスク、マスクブランクス、インプリント用テンプレート、ガラス基板、ウェハのいずれかであることを特徴とする、請求項１または請求項２に記載のケースである。
【００１２】
また、本発明の請求項４に係る発明は、前記粘着シートが、シリコーンを含むシートであることを特徴とする、請求項１乃至請求項３のいずれか１項に記載のケースである。
【００１３】
また、本発明の請求項５に係る発明は、前記パーティクル測定器が、無線によって制御されることを特徴とする、請求項１乃至請求項４のいずれか１項に記載のケースである。
【００１４】
また、本発明の請求項６に係る発明は、前記蓋部及び前記底部には、標準機械的インターフェースＳＭＩＦ（Ｓｔａｎｄａｒｄ  Ｍｅｃｈａｎｉｃａｌ  Ｉｎｔｅｒｆａｃｅ）機構が組み込まれていることを特徴とする、請求項１乃至請求項５のいずれか１項に記載のケースである。
【００１５】
また、本発明の請求項７に係る発明は、平板状の収容物を収容する密閉型のケース内のパーティクル測定方法であって、前記ケースは、天板部と、該天板部の周縁から下方に延びるように設けられた周壁部を有し、該天板部と該周壁部から構成される空間に前記収容物が納められる蓋部と、前記収容物を保持する底部と、を有しており、前記底部の上面には、前記収容物の裏面を保持する収容物保持部が複数個設けられており、平面視上、前記複数個の収容物保持部で囲まれる領域に、粘着シートを介してパーティクル測定器を配置し、その後、前記蓋部と前記底部を合わせて前記ケースを密閉し、前記パーティクル測定器により、前記密閉したケース内のパーティクルを測定することを特徴とする、パーティクル測定方法である。
【００１６】
また、本発明の請求項８に係る発明は、前記密閉したケースを、４．９ｍ／ｓ2以上４９ｍ／ｓ2以下の加速度で振動させた状態で、前記密閉したケース内のパーティクルを測定することを特徴とする、請求項７に記載のパーティクル測定方法である。
【００１７】
また、本発明の請求項９に係る発明は、前記パーティクル測定器を配置した後に前記収容物保持部に前記収容物を保持させ、その後、前記蓋部と前記底部を合わせて密閉し、前記パーティクル測定器により、前記密閉したケース内のパーティクルを測定することを特徴とする、請求項７または請求項８に記載のパーティクル測定方法である。
【００１８】
また、本発明の請求項１０に係る発明は、前記粘着シートと前記パーティクル測定器を合わせた厚みの大きさが、前記複数個の収容物保持部で保持される前記収容物の裏面と前記底部の上面との間の距離よりも小さいことを特徴とする、請求項７乃至請求項９のいずれか１項に記載のパーティクル測定方法である。
【００１９】
また、本発明の請求項１１に係る発明は、前記収容物が、フォトマスク、マスクブランクス、インプリント用テンプレート、ガラス基板、ウェハのいずれかであることを特徴とする、請求項７乃至請求項１０のいずれか１項に記載のパーティクル測定方法である。
【００２０】
また、本発明の請求項１２に係る発明は、前記粘着シートが、シリコーンを含むシートであることを特徴とする、請求項７乃至請求項１１のいずれか１項に記載のパーティクル測定方法である。
【００２１】
また、本発明の請求項１３に係る発明は、無線によって制御されることを特徴とする、請求項７乃至請求項１２のいずれか１項に記載のパーティクル測定方法である。
【発明の効果】
【００２２】
本発明によれば、ケースに複雑な構成を付加することなく、ケースを密閉した状態、さらにはケース内に収容物を収容して密閉した状態で、ケース内のパーティクルを測定することができる。
【図面の簡単な説明】
【００２３】
【図１】本発明のケースの一例について示す図
【図２】本発明のケースの底部の一例について示す図
【図３】加速度計測結果について示す図
【図４】本発明に係るパーティクル測定方法の一例について示す図
【発明を実施するための形態】
【００２４】
＜ケース＞
まず、本発明のケースについて説明する。
図１は、本発明のケースの一例について示す図である。ここで、図１（ａ）は、収容物５０を収容し、蓋部２０と底部３０を合わせて密閉した状態のケース１０の断面図を示し、図１（ｂ）は、図１（ａ）に示すケース１０の蓋部２０と底部３０を分離した状態を示す。なお、図１（ｂ）においては、収容物５０が搭載されていない状態を示している。
【００２５】
図１（ａ）、（ｂ）に示すように、ケース１０は、主たる構成要素として、蓋部２０と底部３０を有している。
蓋部２０は、天板部２１と、天板部２１の周縁から下方（図中のＺ方向と逆の方向）に延びるように設けられた周壁部２２を有しており、天板部２１と周壁部２２から構成される空間に収容物５０が納められる。
底部３０は、底部本体３１と、底部本体３１の上に設けられた収容物保持部３２を有し、収容物保持部３２によって、収容物５０の周縁の一部が下側及び側面側から保持される。
収容物５０としては、異物の付着を嫌う製品及び部品を挙げることができ、特に、フォトマスク、マスクブランクス、インプリント用テンプレート、ガラス基板、ウェハ等の精密部品を、好適に挙げることができる。
【００２６】
天板部２１の平面形態は、収容物５０の形態にもよるが、例えば、収容物５０がフォトマスクやマスクブランクス、またはその製造中間品である場合は、通常、略四角形である。この場合、開口部２３の平面形態も、略四角形になる。
同様に、底部３０の平面形態も、収容物５０の形態にもよるが、例えば、収容物５０がフォトマスクやマスクブランクス、またはその製造中間品である場合は、通常、略四角形である。
【００２７】
ケース１０は、蓋部２０と底部３０を合わせた状態で密閉状態になるものであるが、蓋部２０と底部３０のいずれか、若しくはその両方には、ケース１０内に気体を供給するための給気孔や、ケース１０内から気体を排出するための排気孔が設けられていても良い。
例えば、不活性ガスをケース１０内に充填することで、収容物５０の化学的な経時変化を抑制できるからである。
【００２８】
また、図示は省略しているが、蓋部２０は、収容物５０を上方から下方に押圧するピンを有していても良い。このようなピンを有することで、収容物５０を収容し、蓋部２０と底部３０を合わせた際に、収容物５０が、ケース１０内で移動したり、収容物保持部３２から浮き上がったりすることを、より効果的に防止できるからである。
【００２９】
また、ケース１０の蓋部２０及び底部３０には、標準機械的インターフェースＳＭＩＦ（Ｓｔａｎｄａｒｄ  Ｍｅｃｈａｎｉｃａｌ  Ｉｎｔｅｒｆａｃｅ）機構が組み込まれていることが好ましい。ケース１０の蓋部２０を底部３０と分離した開放状態にして、底部３０の収容物保持部３２に保持されている収容物５０を各種装置に移動させることを自動化でき、この収容物５０の装置への移動過程において異物が混入することを、より抑制できるからである。
【００３０】
なお、上記の「標準機械的インターフェースＳＭＩＦ機構が組み込まれていること」とは、標準機械的インターフェースＳＭＩＦシステムに適合した、蓋部と底部のロック機構及び取外し機構を備えていることを意味する。
【００３１】
図２は、本発明のケースの底部の一例について示す図である。ここで、図２（ａ）は、底部３０の平面図を示し、図２（ｂ）は、底部３０の断面図を示す。なお、図２（ａ）、（ｂ）においては、収容物５０は破線で示している。
【００３２】
図２（ａ）に示すように、底部３０の上面（より詳しくは、底部本体３１の上面）には、収容物５０の周縁の一部を下側及び側面側から保持する収容物保持部３２が複数個（図２（ａ）に示す例においては３個）設けられており、これら複数個の収容物保持部３２で囲まれる領域に、粘着シート４１を介してパーティクル測定器４２が配置されている。
【００３３】
そして、パーティクル測定器４２は、例えば、無線によって制御され、ケース内のパーティクルを測定する。また、パーティクル測定器４２は、例えばカメラのセルフタイマーのように、密閉後一定時間経過後から所定の時間、ケース内のパーティクルを測定するようなプログラムで制御される方式であっても良い。
【００３４】
上記のような構成を備えるため、ケース１０においては、複雑な構成を付加することなく、ケース１０を密閉した状態、さらにはケース１０内に収容物５０を収容して密閉した状態で、ケース１０内のパーティクルを測定することができる。
【００３５】
ここで、上記のように、パーティクル測定器４２は粘着シート４１を介して底部３０の上面（より詳しくは、底部本体３１の上面）に備え付けられる。それゆえ、パーティクル測定器４２は、例えば、ねじ止め等の作業が不要であり、端部から引き剥がすことで、ケース１０（より詳しくは、底部本体３１の上面）から容易に取り外すことができる。
一方、地震対策用にテレビやＰＣ（パーソナルコンピュータ）の底に装着される粘着シートが奏する効果と同様に、ケース１０が受ける振動に対してパーティクル測定器４２は、粘着シート４１により確実にケース１０（より詳しくは、底部本体３１の上面）に備え付けられることになる。
すなわち、本発明においては、ケース１０に複雑な構成を付加することなく、パーティクル測定器４２を容易に着脱することができる。
【００３６】
粘着シート４１は、ケース１０の底部３０（より詳しくは、底部本体３１の上面）とパーティクル測定器４２との間に配設され、ケース１０に与えられる振動に対抗して、パーティクル測定器４２をケース１０に備え付ける作用を奏するものである。
この粘着シート４１は、地震対策用の粘着シートのようなシートであり、その粘着剤としては、例えば、シリコーン系粘着剤、ゴム系粘着剤、アクリル系粘着剤、ビニルアルキルエーテル系粘着剤、シリコーン系粘着剤、ポリエステル系粘着剤、ポリアミド系粘着剤、ウレタン系粘着剤、スチレン− ジエンブロック共重合体系粘着剤、などの粘着剤を１種又は２種以上組み合わせて用いることができる。また、粘着性成分のほかに、ポリイソシアネート、アルキルエーテル化メラミン化合物などの架橋剤や、ロジン誘導体樹脂、ポリテルペン樹脂、石油樹脂、油溶性フェノール樹脂などの粘着付与剤等の添加剤を、適宜含んでいてもよい。
本発明においては、粘着シート４１として、シリコーンを含むシートを好適に用いることができる。シリコーンを含むシートは、パーティクルを嫌うフォトマスク、マスクブランクス、インプリント用テンプレート、ガラス基板、ウェハ等の精密部品を扱う各種治具において用いられており、実績があるからである。
【００３７】
また、本発明においては、図２（ｂ）に示すように、粘着シート４１とパーティクル測定器４２を合わせた厚みの大きさ（Ｈ１）が、収容物保持部３２で保持される収容物５０の裏面と底部３０の上面（より詳しくは、底部本体３１の上面）との間の距離（Ｈ２）よりも小さいことが好ましい。
このような大きさであれば、パーティクル測定器４２が収容物５０に接触してしまうことを防止しつつ、ケース１０内に収容物５０を収容して密閉した状態で、ケース１０内のパーティクルを測定することができるからである。
【００３８】
さらには、パーティクル測定器４２の上面と収容物５０の裏面との間の距離（Ｈ２−Ｈ１）を、収容物５０を各種装置に移動させる際の搬送機構（例えば搬送アーム）が通過できる大きさとすることで、収容物５０をケース１０から各種装置に移動させることを容易にでき、この移動過程を自動化することができる。
【００３９】
パーティクル測定器４２の平面形態は、複数個の収容物保持部３２で囲まれる領域に配置できるものであれば、特に限定されず、図２（ａ）に例示する円形の形態の他に、矩形、多角形、楕円や、その他曲線で構成される外形を含む形態であってもよい。
同様に、粘着シート４１も、その平面形態は、複数個の収容物保持部３２で囲まれる領域に配置できるものであれば、特に限定されず、多角形、円形、楕円や、その他曲線で構成される外形を含む形態であってもよい。
【００４０】
ただし、粘着シート４１とパーティクル測定器４２の平面サイズの関係は、図２に例示するように、粘着シート４１の平面サイズ（面積）が、パーティクル測定器４２の平面サイズ（面積）よりも小さく、両者を重ねた際には、粘着シート４１の外形が、パーティクル測定器４２の外形の内側に含まれる大きさであるか、若しくは、粘着シート４１とパーティクル測定器４２が互いに同じ平面形態であって、同じ平面サイズ（面積）を有していることが好ましい。
その理由は、もし、粘着シート４１の平面サイズ（面積）がパーティクル測定器４２の平面サイズ（面積）よりも大きい場合、両者を重ねた際には、平面視上、パーティクル測定器４２の外形から粘着シート４１がはみ出てしまい、この粘着シート４１のはみ出た領域に付着していたパーティクルが、ケースが受ける振動等によって、ケース内に放出されてしまうおそれがあるからである。
それゆえ、本発明においては、粘着シート４１を介してパーティクル測定器４２を配置するに際し、平面視上、パーティクル測定器４２の外形から粘着シート４１がはみ出ないように配置することが好ましい。
【００４１】
＜パーティクル測定方法＞
次に、本発明に係るパーティクル測定方法について説明する。
【００４２】
本発明に係るパーティクル測定方法は、平板状の収容物を収容する密閉型のケース内のパーティクル測定方法であって、対象とするケースは、上記のケース１０のように、天板部２１と、天板部２１の周縁から下方に延びるように設けられた周壁部２２を有し、天板部２１と周壁部２２から構成される空間に収容物５０が納められる蓋部２０と、収容物５０を保持する底部３０と、を有しており、底部３０の上面には、収容物５０の裏面を保持する収容物保持部３２が複数個設けられているものである。
そして、本発明に係るパーティクル測定方法においては、平面視上、複数個の収容物保持部３２で囲まれる領域に、粘着シート４１を介してパーティクル測定器４２を配置し、その後、蓋部２０と底部３０を合わせてケース１０を密閉し、パーティクル測定器４２により、密閉したケース１０内のパーティクルを測定する。
【００４３】
なお、本発明に係るパーティクル測定方法おいては、ケース１０内に収容物５０を収容した状態で、ケース１０内のパーティクルを測定してもよい。
より詳しくは、ケース１０内にパーティクル測定器４２を配置した後に、収容物保持部３２に収容物５０を保持させ、その後、蓋部２０と底部３０を合わせて密閉し、パーティクル測定器４２により、密閉したケース１０内のパーティクルを測定してもよい。
このような測定方法を用いれば、実際の使用状態と同じ状態で、密閉したケース１０内のパーティクルを評価できる。
【００４４】
ここで、上記のように、粘着シート４１とパーティクル測定器４２を合わせた厚みの大きさ（図２（ｂ）に示すＨ１）は、収容物保持部３２で保持される収容物５０の裏面と底部３０の上面（より詳しくは、底部本体３１の上面）との間の距離（図２（ｂ）に示すＨ２）よりも小さいことが好ましい。
このような大きさであれば、パーティクル測定器４２が収容物５０に接触してしまうことを防止しつつ、ケース１０内に収容物５０を収容して密閉した状態で、ケース１０内のパーティクルを測定することができるからである。
【００４５】
収容物５０としては、異物の付着を嫌う製品及び部品を挙げることができ、特に、フォトマスク、マスクブランクス、インプリント用テンプレート、ガラス基板、ウェハ等の精密部品を、好適に挙げることができる。
【００４６】
上記のように、パーティクル測定器４２は粘着シート４１を介して底部３０の上面（より詳しくは、底部本体３１の上面）に備え付けられる。それゆえ、パーティクル測定器４２は、例えば、ねじ止め等の作業が不要であり、端部から引き剥がすことでケース１０（より詳しくは、底部本体３１の上面）から容易に取り外すことができる。
一方、ケース１０が受ける振動に対してパーティクル測定器４２は、粘着シート４１により確実にケース１０（より詳しくは、底部本体３１の上面）に備え付けられることになる。
すなわち、本発明においては、ケース１０に複雑な構成を付加することなく、パーティクル測定器４２を容易に着脱することができる。
粘着シート４１は、例えば、シリコーンを含むシートを好適に用いることができる。
【００４７】
パーティクル測定器４２は、例えば、無線によって制御され、ケース内のパーティクルを測定する。また、パーティクル測定器４２は、例えばカメラのセルフタイマーのように、密閉後一定時間経過後から所定の時間、ケース内のパーティクルを測定するようなプログラムで制御される方式であっても良い。
【００４８】
上記のように、本発明に係るパーティクル測定方法おいては、複雑な構成を付加することなく、ケース１０を密閉した状態、さらにはケース１０内に収容物５０を収容して密閉した状態で、ケース１０内のパーティクルを測定することができる。
【００４９】
また、本発明に係るパーティクル測定方法おいては、密閉したケース１０を振動させた状態で、ケース１０内のパーティクルを測定することもできる。このような測定方法を用いれば、実際の使用状態に近い状態で、密閉したケース１０内のパーティクルを評価することができる。
【００５０】
図３は、ケース１０を搬送、保管する際に、ケース１０に与えられる加速度を計測した結果について示す図である。ここで、図３（ａ）はケース１０をゆっくり置いた場合に受ける加速度、図３（ｂ）はケース１０を普通に置いた場合に受ける加速度、図３（ｃ）はケース１０を持って歩行した場合に受ける加速度、図３（ｄ）はケース１０を落とした場合（高さ５ｃｍ）に受ける加速度を、それぞれ示す。いずれも、Ｘ軸は時間（秒）を、Ｙ軸は加速度（Ｇ）を示す。
【００５１】
図３（ａ）〜（ｃ）に示すように、ケース１０を搬送、保管する際の通常の作業において、ケース１０に与えられる加速度の範囲は５Ｇ（４９ｍ／ｓ2）以下であること、および、歩行時には０．５Ｇ〜１Ｇ（４．９ｍ／ｓ2〜９．８ｍ／ｓ2）の加速度が継続的に与えられることが判明した。
【００５２】
なお、図３（ｄ）においては、１６Ｇ（１５７ｍ／ｓ2）を超える加速度になるが、ケース１０を落とすようなことは、ケース１０を搬送、保管する際の通常の作業ではなく、この数値は、あくまで参考値である。
【００５３】
それゆえ、本発明に係るパーティクル測定方法おいて、密閉したケース１０を振動させた状態でケース１０内のパーティクルを測定する場合、密閉したケース１０に与える加速度は、０．５Ｇ以上５Ｇ以下（４．９ｍ／ｓ2以上４９ｍ／ｓ2以下）の範囲であることが好ましい。
【００５４】
図４は、本発明に係るパーティクル測定方法の一例について示す図である。
例えば、図４に示すように、振動装置１００は、ケース１０を保持するケース保持機構１１０と、ケース保持機構１１０が装着された振動機構１２０を備えており、本実施形態においては、振動機構１２０による振動を、密閉したケース１０に与えた状態で、ケース１０内のパーティクルを測定する。
【００５５】
より詳しくは、図４に示す振動装置１００において、ケース保持機構１１０は、ケース１０を保持するケース保持部１１１と、ケース保持部１１１が設けられた支柱部１１２を有しており、支柱部１１２は、その下面（底面）側が振動機構１２０のステージ１２１に装着されており、ステージ１２１は、振動部１２２に連結されており、振動発生部１２３による振動部１２２の振動が、ステージ１２１、支柱部１１２、ケース保持部１１１を介してケース１０に与えられる。
【００５６】
このようなパーティクル測定方法を採用することで、実際の使用状態に近い状態で密閉したケース１０内のパーティクルを評価できる。それゆえ、パーティクルの付着を嫌う収容物を収容するケースの品質管理を、より信頼性高く行うことができる。
例えば、上記のような振動を所定の時間与え、測定されるパーティクルが所定の数値以下であるケースのみを使用することで、製品である収容物にパーティクルが付着してしまうことを、より効果的に防止できる。
【００５７】
以上、本発明に係るケース及びパーティクル測定方法について、それぞれの実施形態を説明したが、本発明は、上記実施形態に限定されるものではない。上記実施形態は例示であり、本発明の特許請求の範囲に記載された技術的思想と実質的に同一の構成を有し、同様な作用効果を奏するものは、いかなる場合であっても本発明の技術的範囲に包含される。
【符号の説明】
【００５８】
１０  ケース
２０  蓋部
３０  底部
２１  天板部
２２  周壁部
２３  開口部
３１  底部本体
３２  収容物保持部
４１  粘着シート
４２  パーティクル測定器
５０  収容物
１００  振動装置
１１０  ケース保持機構
１１１  ケース保持部
１１２  支柱部
１２０  振動機構
１２１  ステージ
１２２  振動部
１２３  振動発生部
【図１】
0006589652.tif 000002
【図２】
0006589652.tif 000003
【図３】
0006589652.tif 000004
【図４】
0006589652.tif 000005